(57)【特許請求の範囲】
【請求項１】
ストリームおよびタイトル情報が蓄積される蓄積手段と、
該蓄積手段からデータを取り出す蓄積インターフェースと、
該蓄積インターフェースからのストリームの変換を行うストリーム変換手段と、
前記蓄積インターフェースが取出したタイトル情報に当該タイトル情報に対応するストリームのビットレートを少なくとも属性情報として付加したタイトルと、
前記ストリーム変換手段により変換可能なビットレートのそれぞれを少なくとも属性情報として上記タイトル情報に付加した仮想タイトルとを一覧とする仮想的なタイトルリストを作成するリスト作成手段と、
通信インターフェースを有し、
該通信インターフェースを介して接続される他の機器に前記リスト作成手段によって作成された仮想的なタイトルリストを送出し、他の機器で選択されたタイトルリストに付加された属性情報に基づき、前記ストリーム変換手段によって前記蓄積インターフェースからのストリームを変換しながら他の機器に対して出力することを特徴とする録画再生装置。
【請求項２】
前記ストリーム変換が、何らかの編集を行うものであることを特徴とする請求項１に記載の録画再生装置。
【請求項３】
前記ストリーム変換が、多重化されたストリームのいずれかを選択して出力するようにしたことを特徴とする請求項１に記載の録画再生装置。
【発明の詳細な説明】
【技術分野】
【０００１】
本発明は、保持するコンテンツの情報をもとに、ユーザが選択するためのリストを作成する録画再生装置に関する。
【背景技術】
【０００２】
近年、受信したテレビ番組の映像を、ＭＰＥＧ−２などの圧縮方式でデジタル化し、大容量ハードディスクに記録する装置が普及している。映像をデジタル化することにより、従来広く使用されてきたビデオテープを用いる場合に比較して、簡単かつ高速に、ダビングを行うことが可能である。
【０００３】
さらに、例えば、ＩＥＥＥ１３９４ケーブルで機器間を接続することにより、機器間で、コンテンツのダビングやムーブを行うことが可能である。また、これらの機器の多くは、録画時にユーザがビットレートを設定することが可能である。さらに、特許文献１（特開平６−１６４４０８号公報）によれば、一旦録画したコンテンツに対して、レート変換を施すことが可能である。
【０００４】
機器に録画されたコンテンツは、タイトルやレート情報など、様々な属性を持つので、目的とするコンテンツとダビング方法を、より簡単に指定する方法が必要であり、番組情報を、任意の属性によりグループ化して並べ替える方法が、例えば、特許文献２（特開平９−１５４０７８号公報）に提案されている。
【特許文献１】特開平６−１６４４０８号公報
【特許文献２】特開平９−１５４０７８号公報
【発明の開示】
【発明が解決しようとする課題】
【０００５】
しかしながら、上記の方法では、例えば、ＩＥＥＥ１３９４ケーブルで接続した機器間でダビングするときのレート変換については考慮されていない。そのため、一旦そのままのレートでダビングした後、ダビング先の機器でレート変換するか、あるいは、ダビング元の機器で、あらかじめ所望のレートに変換したコンテンツを用意する必要があり、いまだ改善の余地が残されている。
【０００６】
ＩＥＥＥ１３９４ケーブルで接続された機器間でストリームの送受信を行う場合、まず、送出する側が、送出可能なタイトルのリストを通知し、受信する側が選択を行うが、選択時に、送出側でレート変換を行いながら送出することを選択できない機器が一般的である。そういった機器に対しても、送出側でレート変換を行う選択肢を与えるためには、送出側で作成するタイトルのリストに、選択可能なレートの情報を付加する必要がある。
【課題を解決するための手段】
【０００７】
上記課題を解決するために、本発明の第１の技術手段は、ストリームおよびタイトル情報が蓄積される蓄積手段と、該蓄積手段からデータを取り出す蓄積インターフェースと、該蓄積インターフェースからのストリームの変換を行うストリーム変換手段と、前記蓄積インターフェースが取出したタイトル情報に当該タイトル情報に対応するストリームのビットレートを少なくとも属性情報として付加したタイトルと、前記ストリーム変換手段により変換可能なビットレートのそれぞれを少なくとも属性情報として上記タイトル情報に付加した仮想タイトルとを一覧とする仮想的なタイトルリストを作成するリスト作成手段と、通信インターフェースを有し、該通信インターフェースを介して接続される他の機器に前記リスト作成手段によって作成された仮想的なタイトルリストを送出し、他の機器で選択されたタイトルリストに付加された属性情報に基づき、前記ストリーム変換手段によって前記蓄積インターフェースからのストリームを変換しながら他の機器に対して出力する録画再生装置を特徴とする。
【００１４】
第２の技術手段は、第１の技術手段において、前記ストリーム変換が、何らかの編集を行うものであることを特徴としたものである。
【００１５】
第３の技術手段は、第１の技術手段において、前記ストリーム変換が、多重化されたストリームのいずれか（例えば、音声のみ、或いは、映像のみ）を選択して出力するようにしたことを特徴としたものである。
【発明の効果】
【００１８】
本発明によれば、番組のタイトルリストを作成する際、タイトル以外の情報も付加し、同じタイトルの項目を仮想的に複数タイトルに増やすようにしたので、タイトル以外の属性情報を通知することができない場合でも、タイトル以外の属性の選択肢を与えることが可能になると同時に、選択肢に一覧性が増し、より容易な選択が可能となる。
【発明を実施するための最良の形態】
【００１９】
（第１の実施形態）
図１は、本発明の第１の実施形態による録画再生装置の概要を説明するための接続構成図で、録画再生装置１００と、録画再生装置２００が、通信手段４００によって接続され、録画再生装置１００が作成したタイトルリストが、録画再生装置２００に接続された表示装置３００により表示されている様子を示したものである。
【００２０】
以下、録画再生装置１００が持つコンテンツを、通信手段４００を通じて、録画再生装置２００へダビングする方法について説明する。
なお、本実施例では、ダビング先が録画再生装置２００である例を示すが、録画再生装置１００と接続してコンテンツのやり取りが可能な機器であれば、どのようなものであっても構わない。また、通信手段４００の例として、例えば、ＩＥＥＥ１３９４ケーブルや、イーサネット（登録商標）ケーブル等があるが、有線／無線を問わず、いずれの通信手段を用いても構わない。
【００２１】
図２は、図１に示した録画再生装置１００の構成例を示す機能ブロック図で、該録画再生装置１００は、記録したストリームおよびタイトル情報が蓄積された蓄積手段１１、該蓄積手段１１からデータを取り出す蓄積インターフェース１２、ストリーム変換（例えば、レート変換）を行うストリーム変換手段１３、タイトル情報を基に他機器へ提供するタイトルリストを作成するリスト作成手段１４、他機器から受信した選択結果に従い、蓄積インターフェース１２とストリーム変換手段１３を制御するストリーム出力制御手段１５、および、通信手段４００を通じて、ストリームとタイトルリストを他機器２００へ送信し、他機器２００の選択結果を受信する通信インターフェース１６から構成される。
【００２２】
以下、図２を参照して各機能について説明する。
最初に、録画再生装置１００が、録画再生装置２００に提供するタイトルリストを作成して送信する例について説明する。蓄積インターフェース１２が、蓄積手段１１より、タイトル情報を取り出し、リスト作成手段１４へ入力する。ここで取り出されるタイトル情報は、図３に示すように、各タイトルの名称、録画レート、録画日時など、複数の情報を含む。
【００２３】
リスト作成手段１４は、図３に示すタイトル情報を受信すると、各タイトルの録画レートを参照して、一つのタイトルから、録画レートを変更した複数の仮想タイトルを作成し、新たなタイトルリストを作成する。リスト作成手段１４が作成するタイトルリストの例を、図４に示す。なお、本実施形態の説明において、録画レートは、図３に示す３種類のみが存在し、ＸＰが最も高いレートであり、ＳＰは中間、ＬＰが最も低いレートとするが、録画レートの種類は、いくつ存在しても構わない。
【００２４】
図３において、タイトル１の録画レートはＸＰである。これを、より低いレートに変換することが可能であるため、タイトル１のＸＰレートに加え、タイトル１のＳＰレートおよびＬＰレートとしたタイトルを加える。一方、図３において、タイトル２の録画レートはＬＰである。本実施形態では、元の録画レートより高い選択肢は設けない例を示しているため、タイトル２はＬＰレートの項目のみを作成し、タイトル３はＳＰおよびＬＰレートの項目を作成し、図４に示すタイトルリストを作成する。
【００２５】
図３では、タイトル、レート、日時の情報のみを記載したリストを作成する例を示したが、他にどのような情報を記載しても構わない。リスト作成手段１４は、作成したタイトルリストを通信インターフェース１６に入力し、通信インターフェース１６は、入力されたタイトルリストを、通信手段４００を通して録画再生装置２００へ送信する。
【００２６】
次に、録画再生装置１００が、録画再生装置２００より、リストからの選択結果を受信したとき、該録画再生装置２００からの選択結果に従って、所望のストリームを出力する例について説明する。
通信インターフェース１６が、録画再生装置２００より通信手段４００を通して受信した選択結果を、ストリーム出力制御手段１５へ入力する。ストリーム出力制御手段１５は、録画再生装置２００の選択を受け、リスト作成手段１４が作成したリストを参照して、出力すべきタイトルとレートを確定する。次に、出力すべきレートを、レート変換手段１３に設定する。レート変換が不要な場合は、レート変換手段１３に対して、レート変換を行わないように設定する。さらに、選択されたタイトルに対応するストリームの出力を、蓄積インターフェース１２に指示する。
【００２７】
蓄積インターフェース１２は、指示されたタイトルのストリームを蓄積手段１１より取り出し、レート変換手段１３に入力する。レート変換手段１３は、入力されたストリームを、ストリーム出力制御手段１５によって設定されたレートに変換し、変換されたストリームを通信インターフェース１６に入力する。通信インターフェース１６は、入力されたストリームを、通信手段４００を通じて、録画再生装置２００へ送信する。
【００２８】
次に、図２および図５を参照して、録画再生装置１００が、録画再生装置２００に提供するタイトルリストを作成して送信するシーケンスについて説明する。
まず、リスト作成手段１４が、蓄積インターフェース１２からタイトル情報を取得する（ステップＳ１）。
リスト作成手段１４は、取得したタイトル情報を基に、レート情報を付加して仮想的に複数のタイトルを作成する（ステップＳ２）。
リスト作成手段１４は、作成したリストを、通信インターフェース１６および通信手段４００を通じて、録画再生装置２００へ送信する（ステップＳ３）。
【００２９】
次に、図２および図６を参照して、録画再生装置１００が、録画再生装置２００より、リストからの選択結果を受信したとき、選択結果に従って、所望のストリームを出力するシーケンスについて説明する。
まず、ストリーム出力制御手段１５が、通信インターフェース１６および通信手段４００を通して、録画再生装置２００よりリストからの選択結果を受信する（ステップＳ１１）。
【００３０】
ストリーム出力制御手段１５は、録画再生装置２００からの選択結果と、リスト作成手段１４が作成したリストを参照し、出力すべきストリームのタイトルと、出力すべきレートを確定する（ステップＳ１２）。
【００３１】
ストリーム出力制御手段１５は、選択されたタイトルに応じたレートを、レート変換手段１３に設定する（ステップＳ１３）。
さらに、ストリーム出力制御手段１５は、選択されたタイトルに応じたタイトル情報を、蓄積インターフェース１２に設定する（ステップＳ１４）。
【００３２】
蓄積インターフェース１２は、設定されたタイトルのストリームを、蓄積手段１１より取り出し、レート変換手段１３へ入力する（ステップＳ１５）。
レート変換手段１３は、入力されたストリームに対して、設定されたレートに応じてレート変換を施し、レート変換後のストリームを、通信インターフェース１６および通信手段４００を通して録画再生装置２００へ出力する（ステップＳ１６）。
【００３３】
以上のようにして、録画レート情報をタイトル情報に付加して、複数の仮想タイトルを作成することにより、ダビング元の機器でレート変換しながらのダビングが可能となる。
なお、本実施例では、タイトル情報にレート情報を付加する例を示したが、他のいずれの情報であっても、同様の方法で付加することが可能である。
【００３４】
（その他の実施形態）
第１の実施形態では、デジタルのままレート変換（トランスコード）を行う仕組みを想定していたが、一旦デコードして、アナログの映像データにした後、異なるレートでエンコードを行う構成も可能である。その場合は、図２に示したレート変換手段１３を、図７に示すデコード手段１３1とエンコード手段１３2とからなる構成に変更する必要がある。
【００３５】
他機器との通信ではなく、一つの機器内で完結する場合（ＨＤＤ→ＤＶＤなど）、同一装置内の設計ならば容量等の表示も可能である。
第１の実施形態では、機器間のダビングを例として説明したが、同様の方法を、一つの機器の中でのダビング（例：ＨＤＤ→ＤＶＤのダビング）に用いることも可能で、その場合の構成図は、図８に示すようになる。
【００３６】
図８において、記録手段１７は、ストリーム（例えばレート）変換されたストリームを受け取り、蓄積手段１１とは異なるメディアにストリームを記録する（蓄積手段１１はＨＤＤ、記録手段１７はＤＶＤを想定）。
選択手段１８は、ユーザがリストから選択したタイトルを、ストリーム出力制御手段１５へ通知する。表示手段１９は、リスト作成手段１４が作成したタイトルリストを表示し、ユーザに対してタイトルの選択を促す。その他の構成要素は、図２に示した構成と同様である。
【００３７】
また、ＨＤＤ→ＤＶＤの場合、図９に示すように、各タイトルとレートに応じて、ＤＶＤの容量のうち、何％を消費するかを表示することも可能である。利点は、通常であれば、ダビングするタイトルを選択した後にレート変換についての選択肢が現れるため、一覧性に乏しかったが、図９のような表示になれば、タイトル１のＳＰ（６０％），タイトル２のＬＰ（１０％），タイトル３のＳＰ（３０％）の３タイトルであれば、ちょうど１００％に収まることがわかる。
【００３８】
受信側の表示能力に応じて、ダウンコンバートしてから送る（例えば、受信側であるＴＶがＨＤ対応していないので、ＨＤ録画したものをＳＤに落して送る）。
第１の実施形態では、機器間でコンテンツをダビングする例を説明したが、録画を伴わず、単に、一方の機器が保有するコンテンツを、もう一方の機器で視聴する場合にも利用することができる。例えば、ハイビジョンで記録されたコンテンツを、ハイビジョン映像を表示することができない表示機器で視聴する場合（ダビングではなく、単に視聴するだけの場合）、送信元であらかじめレートを落とすことが可能である。
【００３９】
また、通信経路の能力が低く、ハイビジョン映像をリアルタイムで視聴するだけの帯域を確保できないことがわかっている場合に、送信先の機器を操作するユーザが、通信経路の能力を超えないレートを選択し、送信元でレートを落とすことができる。
【００４０】
第１の実施形態には、レートを落とすことを目的とする例を説明したが、他にも様々な変換を、ダビング元の機器で行うことが可能となる。例えば、ダビング先で用いる表示装置の能力が低いため、映像のサイズを小さくしたり、ＣＭスキップなどの編集を自動で施して送出したり、或いは、ダビング先の機器が、映像を表示する能力がない場合は、音声のみを送出することも、それぞれの選択肢をタイトル情報に含めることにより、可能となる。
【００４１】
機器を接続することにより、ダビング先の機器の能力を、ダビング元の機器が知ることができる場合、ダビング先の機器の能力に応じて、タイトルリストを最適化することが可能である。例えば、ダビング先の機器がハイビジョンのストリームを再生できない場合は、ハイビジョンのタイトルを仮想タイトルにする際、ハイビジョンのレートの選択肢を残さず、必ずＳＤストリームにレート変換されるようにするなど、ダビング先機器の能力に応じて、リストの項目を編集することも可能である。
【００４２】
図１０は、ダビング先機器の能力に応じて、リストの項目を編集する場合の構成例を示す図で、この場合、図１０に示すように、リスト作成手段１４’は、図２に示すリスト作成手段１４と異なり、接続先の機器から、能力に関する情報を受け取り、リストを作成する際、接続先の機器では再生できない選択肢を削除しておく。
【００４３】
ＩＥＥＥ１３９４接続されたダビング先の機器が、本発明による仮想タイトルリストを受け取った際、仮想タイトルリストを解析することにより、タイトル名とレート情報を分離する（表示方法を変更する）ことが可能である。
【００４４】
図４に示した仮想タイトルリストを受信したダビング先の機器は、リストを解析し、タイトル１のレートＸＰ，ＳＰ，ＬＰ，タイトル２のレートＬＰ，タイトル３のレートＳＰ，ＬＰを選択可能であることを認識し、タイトル情報とレート情報を分離し、図１１に示すような画面をユーザに提供する。ユーザは、カーソル２１を縦横に動かし、図１１の右側の、ＸＰ，ＳＰ，ＬＰのいずれかが記載されている項目を選択することが可能である。
【００４５】
図１１の画面を用いた場合、ユーザは縦方向でタイトル、横方向でレートを選択することが可能となるため、図４の場合と比較して一覧性が増し、カーソルの移動回数も少なくすることが可能となる。
なお、ダビング元の機器が仮想タイトルリストを作成する際、ダビング先の機器による解析が容易になるように、特定の文字や記号を、決まった場所に挿入してもよい。
また、図１１に示した表示方法以外にも、仮想タイトルリストを解析した結果を用いる表示方法であれば、どのようなものでも構わない。
【図面の簡単な説明】
【００４６】
【図１】本発明の第１の実施形態による録画再生装置の接続例を示す図である。
【図２】第１の実施形態による録画再生装置の構成例を示すブロック図である。
【図３】蓄積手段から取り出したタイトル情報に含まれる情報の例である。
【図４】リスト作成手段が作成したタイトルリストの例である。
【図５】本実施形態による録画再生装置が、タイトルリストを作成して送信する動作例を示すフローチャートである。
【図６】本実施形態による録画再生装置が、選択結果に応じてストリームを出力する動作例を示すフローチャートである。
【図７】レート変換をアナログで行う場合の、レート変換手段の代替手段の構成例を示すブロック図である。
【図８】単一の機器内でレート変換を行う場合の、録画再生装置の構成例を示すブロック図である。
【図９】タイトルリストに、仮想タイトル毎の容量の表示を加えた場合のタイトルリストの例である。
【図１０】タイトルリスト作成時に、接続先機器の能力により仮想タイトルを変化させる場合の構成例を示すブロック図である。
【図１１】仮想タイトルリストを解析し、タイトルとレートに分離してユーザに選択を促す画面の例である。
【符号の説明】
【００４７】
１１…蓄積手段、１２…蓄積インターフェース、１３…ストリーム変換手段、１３1…デコード手段、１３2…エンコード手段、１４，１４’…リスト作成手段、１５…ストリーム出力制御手段、１６…通信インターフェース、１７…記録手段、１８…選択手段、１９…表示手段、２１…カーソル、１００…録画再生装置、２００…録画再生装置、３００…表示装置、４００…通信手段。
【図１】
0004484804.tif 000002
【図２】
0004484804.tif 000003
【図３】
0004484804.tif 000004
【図４】
0004484804.tif 000005
【図５】
0004484804.tif 000006
【図６】
0004484804.tif 000007
【図７】
0004484804.tif 000008
【図８】
0004484804.tif 000009
【図９】
0004484804.tif 000010
【図１０】
0004484804.tif 000011
【図１１】
0004484804.tif 000012